(57)【要約】【課題】  カラー判定モジュールにおいて、画像処理結果がモノクロとなる部分を除外した領域指定可能にする。【解決手段】  入力した画像データに基づいて、当該画像が無彩色か有彩色かを自動的に判定する判定手段と、前記判定手段による判定に用いられる判定基準を調整する調整手段と、前記判定手段により判定を行う画像の領域を指定する領域指定手段と、を有するカラー画像処理装置において、画像処理を通す結果、無彩色領域となる領域を、該判定領域から除外する設定を、該領域指定手段へ設定可能なことを特徴とする。【選択図】  図１
2005244682.tif 000002
【特許請求の範囲】
【請求項１】
入力した画像データに基づいて、当該画像が無彩色か有彩色かを自動的に判定する判定手段と、
前記判定手段による判定に用いられる判定基準を調整する調整手段と、
前記判定手段により判定を行う画像の領域を指定する領域指定手段と、
を有するカラー画像処理装置において、
画像処理を通す結果、無彩色領域となる領域を、該判定領域から除外する設定を、該領域指定手段へ設定可能なことを特徴とする、画像処理装置。
【請求項２】
請求項１に記載の画像処理方法を実行することを特徴とするプログラム。
【請求項３】
請求項２に記載のプログラムを格納するコンピュータ可読の記憶媒体。
【発明の詳細な説明】
【技術分野】
【０００１】
本発明は、画像を読み取って得られたデータを処理して出力するカラー画像処理装置及びカラー画像処理方法に関し、更に詳しくは、画像を読み取って得られたデータがカラー原稿のものか白黒原稿のものかを自動的に判定する、カラー画像処理装置及びカラー画像処理方法に関するものである。
【背景技術】
【０００２】
カラー複写機やカラースキャナ等の読み取った原稿の画像を処理するカラー画像処理装置では、画像読み取り部のスキャナから読み込まれた画像を、白黒として出力するか、それともカラーとして出力するかを自動的に判断する装置がある。このような機能をオートカラーセレクト（ＡＣＳ）と呼ぶ。
【０００３】
従来、そのような装置においては、予め設定された判定基準に基づいて判定を行っている。
【特許文献１】特開平０４−０５１３１８号公報
【発明の開示】
【発明が解決しようとする課題】
【０００４】
カラー原稿に対してオートカラーセレクト（ＡＣＳ）を行う際に、原稿中のカラー画像部分がマスキングされるような出力設定で、結果的に原稿のモノクロ部分のみが出力されるような場合でも、ＡＣＳにおいてカラー判定されることで、カラーモードによる画像処理が施され、印刷速度、画像品位が低下してしまい、印字コストが上がってしまうという問題があった。
【０００５】
本発明は、上述した問題点を解決するため、ＡＣＳ判定手段において出力時に除外されるマスキングエリア（トリミング外エリア・原稿・プリント・ブック枠消しエリア）を判定領域外に指定することで、前記実際にカラー出力されないような場合にカラー画像処理が施されることを回避するものである。
【課題を解決するための手段】
【０００６】
上記目的を達成するために、本発明の画像処理装置は、
入力した画像データに基づいて、当該画像が無彩色か有彩色かを自動的に判定する判定手段と、
前記判定手段による判定に用いられる判定基準を調整する調整手段と、
前記判定手段により判定を行う画像の領域を指定する領域指定手段と、
を有するカラー画像処理装置において、
画像処理を通す結果、無彩色領域となる領域を、該判定領域から除外する設定を、該領域指定手段へ設定可能なことを特徴とする。
【発明の効果】
【０００７】
以上説明してきたように、本発明は、ＡＣＳ判定手段において出力時に除外されるマスキングエリア（トリミング外エリア・原稿・プリント・ブック枠消しエリア）を判定領域外に指定することで、前記実際にカラー出力されないような場合にカラー画像処理が施されることを回避することが可能である。
【発明を実施するための最良の形態】
【０００８】
以下、添付図面を参照して本発明の好適な実施の形態を詳細に説明する。
【０００９】
（第１の実施形態）
本発明の第１の実施形態の一例を図面を用いて説明する。
【００１０】
図１は、本発明の第１の実施形態におけるカラー画像処理システムの構成を示すブロック図である。図１において、１０１は原稿画像を読み取るリーダー、１０２は入力マスキング部、１０３は対数変換部、１０４は黒抽出部、１０５は出力マスキング部、１０６はγ変換部、１０７はプリンタである。また、１０８は白黒／カラー判定部である。これら各部は、ＣＰＵ１０９により制御される。また、１１１は白黒／カラー判定部１０８のパラメータ調整を含む各種動作を指示するための、ＬＣＤ等の表示装置を含む操作部である。
【００１１】
まず、リーダー１０１で読み取った原稿画像のＲｅｄ、Ｇｒｅｅｎ、Ｂｌｕｅのそれぞれの信号Ｒ０，Ｇ０，Ｂ０は、入力マスキング部１０２でリーダー１０１の特性に合わせたマスキング処理が施され、Ｒ１，Ｇ１，Ｂ１に変換される。Ｒ１，Ｇ１，Ｂ１は対数変換部１０３で対数変換され、濃度信号Ｃｙａｎ、Ｍａｇｅｎｔａ、Ｙｅｌｌｏｗそれぞれの信号Ｙ０，Ｍ０，Ｃ０に変換される。ＣＭＹ信号Ｙ０，Ｍ０，Ｃ０は、黒抽出部１０４で下色除去がなされ、黒信号Ｋ（Ｂｌａｃｋ）が生成されて、Ｙ１，Ｍ１，Ｃ１，Ｋ１信号が出力される。Ｙ１，Ｍ１，Ｃ１，Ｋ１信号は出力マスキング部１０５でプリンタに合わせたマスキング処理が施され、Ｙ２，Ｍ２，Ｃ２，Ｋ２信号が出力される。Ｙ２，Ｍ２，Ｃ２，Ｋ２信号には、ユーザーに指定された条件によるガンマ変換や、プリンタの階調に合わせたガンマ変換がγ変換部１０６で施され、Ｙ３，Ｍ３，Ｃ３，Ｋ３信号がプリンタ１０７へ出力される。
【００１２】
さらに、白黒カラー判定手段１０８の判定結果に応じて、対数変換部１０３で用いられる対数変換テーブル、黒抽出部１０４の設定、出力マスキング部１０５で用いられるのパラメータの係数及びγ変換１０６で用いられる係数が、白黒／カラーに応じて切り替えられる。
【００１３】
次に、本発明の第１の実施形態における、白黒／カラー判定部１０８による白黒／カラー判定方法について具体的に説明する。
【００１４】
図２は、白黒／カラー判定部１０８の内部構成を示すブロック図である。白黒／カラー判定部１０８は、図１の入力マスキング部１０２によりリーダー１０１の特性に合わせてマスキング処理が施されたＲ１，Ｇ１，Ｂ１を用いて判定を行う。
【００１５】
まず、Ｒ１，Ｇ１，Ｂ１の最大値、最小値がｍｉｎ・ｍａｘ演算部２０１で計算され、得られた最大値及び最小値に基づいて、属性判定部２０２でカラーか白黒かを判定する。判定方法は、色みが増すほどｍｉｎ、ｍａｘの差が大きくなることを利用し、図３で示す判定基準となる直線Ｌ１，Ｌ２，Ｌ３を境として、斜線部が白黒、それよりも右側がカラーと属性を分け、ｍｉｎ・ｍａｘ演算部２０１において得られた最大値及び最小値を図３に示すデータと比較して、白黒／カラーを決定する。
【００１６】
さらに、例えば、原稿についたゴミなどの影響がでないように、属性判定部２０２によりカラーと判定された場合もそのカラーの属性がいくつか複数あることを判定チェック部２０３で確認して、複数カラー信号があるときには読みとった原稿がカラーであると判定し、黒抽出部、出力マスキング部、γ補正で用いられるパラメータとしてカラー用パラメータをＣＰＵにより設定する。また、属性判定部２０２により白黒画像であると判定された場合、及び属性判定部２０２でカラーであると判定された場合でも、判定チェック部２０３でそのカラーの属性が複数無いと判定された場合には白黒と判断し、白黒用パラメータを設定する。
【００１７】
なお、図３は、図１５に示す実験を基にして得られたデータを直線Ｌ１，Ｌ２，Ｌ３により近似した。これにより、切片Ａ１，Ａ２，Ａ３の値を変えることで、容易に斜線部の領域を変えること、即ち、判断の調整を行うことが可能となる。第１の実施形態では、図３の領域の境界線Ｌ１，Ｌ２，Ｌ３のｍａｘ軸の切片の値Ａ１，Ａ２，Ａ３をユーザーが調整できるようにする。
【００１８】
よりカラーと判定されやすくするようにするには、Ａ１，Ａ２，Ａ３の値を小さくして斜線領域を狭くし、境界線Ｌ１，Ｌ２，Ｌ３の左側の領域を広くすればよく、より白黒と判定されやすくするようには、Ａ１，Ａ２，Ａ３の値を大きくして斜線領域を広くすればよい。この斜線領域の広さは操作部１１１により変更することができる。
【００１９】
この時の操作部１１１の例を図４に示す。「白黒」と「カラー」間に表示されたつまみを移動することにより斜線領域を変更することができる。例えば、中心よりも「白黒」側につまみを移動することで、Ａ１，Ａ２，Ａ３の値が大きくなって白黒と判定されるデータが領域が広くなり、中心よりも「カラー」側につまみを移動することでＡ１，Ａ２，Ａ３の値が小さくなってカラーと判定されるデータ領域が広くなる。なお、ここでは表示装置に表示されたつまみにより調整を行うように構成したが、本発明はこれに限るものではなく、機械的に構成したり、また、カーソルボタンなどにより値の変更を指示できるように構成するなど、様々な形態で実現することが可能である。
【００２０】
また、調整の結果、どのような原稿が白黒と判定され、またカラーと判定されるかを、図５に示すように操作部１１１に表示された「白黒／カラー判定結果表示」ボタンを選択することにより、確認することができる。
【００２１】
その場合の処理の一例を、図５から図９を参照して説明する。図５から図７は、操作部１１１の表示部に表示される画面の変遷を示す。まず、図５に示すように操作部１１１に表示された「白黒／カラー判定結果表示」ボタンを押して判定結果表示を選択し、読み込ませる原稿として予め用意されたプリントパターンを用いるか否かを選択する。このプリントパターンを用いる場合にはプリントパターンのボタンを選び、その場合にはメモリー１１０に保管されているデータが印刷される。図８に印刷されたプリントパターンの例を示す。
【００２２】
この印刷された原稿を原稿台に載せ、図７に示す原稿読み込みボタンを押して原稿を読み込ませる。読み込ませた原稿には、白黒／カラー判定部１０８によりこの時点で設定されているＡ１，Ａ２，Ａ３を用いて上述の方法でプリントパターン毎に白黒／カラーの判定を行い、この判定に基づいて、対数変換１０３のテーブル、黒抽出１０４の設定、出力マスキング１０５のパラメータの係数、γ変換１０６の係数を設定する。そして、白黒／カラー判定部１０８により白黒であると判定されたパターンの領域は白黒で、カラーであると判定されたパターンの領域はカラーと判定されたと分るように、例えば、赤等の有彩色で表示する。これにより、原稿を白黒またはカラーとして判定した結果を表示するようにする。図８に印刷されたプリントパターンの場合、図９に示すように、白黒／カラーの区別がつくように色分けして出力する。
【００２３】
また、予め用意されたプリントパターンではなく一般原稿を用いた場合には、原稿が白黒かカラーかを判定し、どちらに判定されたかが分るように出力する。ここでは、判定結果を印刷して出力しても良いし、操作部１１１の表示部に表示するようにしても構わない。
【００２４】
なお、ここでは無彩色及び有彩色で白黒／カラーの判定結果を表示したが、本発明はこれに限るものではなく、判定結果がユーザーに分るようにすればよい。例えば、異なるパターンを使って白黒／カラーの判定結果を区別して出力したり、文字により区別して出力することも可能である。
【００２５】
上記説明したように第１の実施形態によれば、ユーザーがリーダーの特性に応じて白黒／カラー判定の調整を行うことができるため、白黒／カラーの自動判定をより的確に行うことが可能になる。また、白黒／カラーを自動判定した結果を区別して出力することにより、白黒／カラー判定の結果がわかりやすくなり、より的確に調整を行うことが可能となる。
【００２６】
なお、上記第１の実施形態では、白黒／カラー判定をＲＧＢ信号のｍｉｎ、ｍａｘで行ったがこの方法に限るものではないことは言うまでもない。例えば、均等色空間のＬ＊ａ＊ｂ＊色空間信号を用いてもよい。その場合には、ａ＊軸及びｂ＊軸により規定される平面において、原点を中心として予め規定された円の内側にＬ＊ａ＊ｂ＊色空間信号のうちのａ＊信号及びｂ＊信号が存在する場合には、白黒であると判定し、円の外側に存在する場合にはカラーであると判定する。この円の半径を小さくすると、よりカラーと判断されやすくなり、大きくすると白黒と判定されやすくなるため、半径を変更することにより調整を行うことができる。
【００２７】
（第２の実施形態）
上記第１の実施形態では、白黒／カラー判定の調整をユーザーが調整加減を直接指示することにより行っていたが、第２の実施形態では、自動で調整を行う場合について説明する。
【００２８】
例えば、ある色（有彩色）でレターヘッドが印刷された用紙に、黒インクで文書を印刷したものを原稿とするような場合、本来、原稿全体としてはカラーと判定されてカラー印刷処理がなされなければならないが、誤ってレターヘッドが無彩色と判定されてしまうと、原稿全体も白黒と判定されてしまう。逆に、グレーなどの淡い無彩色を有する白黒原稿で、その一部でもカラーと判定されてしまうと、本来は白黒原稿であるのに、全体としてはカラーとして印刷処理がなされてしまう。このような場合に、どの程度の調整を加えれば正しく判断されるようになるかは、ユーザーには分かりにくい。
【００２９】
そこで、第２の実施形態における画像処理システムは、自動でパラメータを調整するパラメータ自動調節部を有する。
【００３０】
図１０に第２の実施形態における画像処理システムの構成を示す。図１０において、図１と同様の構成については同一符号を付してその詳細説明を省略する。１１２はパラメータ自動調節部であり、第１の実施形態で説明したパラメータＡ１，Ａ２，Ａ３を自動的に調整する。なお、白黒／カラー判定部１０８の構成は図２に示すものと同様であるので、説明を省略する。
【００３１】
以下、第２の実施形態について、図１１及び図１２のフローチャートを参照して説明する。図１１は、パラメータ自動調節部１１２による、白黒／カラー判定に用いられるパラメータの自動調整動作を示すフローチャートであり、誤って白黒と判定された有彩色をカラーと正しく判定されるように調整する場合を示す。
【００３２】
まずステップＳ１で、白黒／カラー判定に用いられるパラメータＡ１，Ａ２，Ａ３を予め設定されたデフォルト値に設定する（ＣＰ｛Ａ１，Ａ２，Ａ３｝＝Ｄ）。次にステップＳ２１で、読み込ませる原稿をカラーとして判断させることを、操作部１１１などにより指定する。ステップＳ３で、誤って白黒と判定された色の原稿を読み込ませる。ここで、原稿が他の様々の色を含む場合や、誤って白黒と判定された色だけを抽出して読み込ませるために原稿からその部分を切り取ることができない場合などもあるので、調整対象色の原稿上の領域を指定できるエディタを設けるとなお良い。
【００３３】
次にステップＳ４で、第１の実施形態で説明した方法で、その指定された領域のそれぞれの画素について、白黒／カラーの判断を白黒／カラー判定手段１０８で行う。更に、エッジ部などで起こる誤判断を回避するために、例えば、図１３に示すような公知の方法で更に各画素について白黒／カラー判定を行う。以下、図１３に基づいて簡単に説明する。
【００３４】
まず注目画素とその周辺画素を調べ、カラーと判定された画素数と、白黒と判定された画素数を調べる。図１３（ａ）の例では、カラーと判定された画素（以下、「色画素」と呼ぶ。）の数が６で、白黒と判定された画素（以下、「白黒画素」と呼ぶ。）の数が３である。この場合、色画素数が白黒画素数よりも多いので、注目画素は色画素と判定される。逆に図１３（ｂ）の例では、色画素数が４で、白黒画素数が５であり、白黒画素数が色画素数よりも多いので、注目画素は白黒画素と判定される。なお、図１３の例では３×３の画素を用いて注目画素の判定を行ったが、判定に用いる画素数はこれに限るものでないことは言うまでもない。
【００３５】
上述のように、所定領域内の色画素数Ｃｃｏｕｎｔを調べ、ステップＳ５１でその数が所定数Ｎ（図１３に示す例では５）以上であるか否かを判断する。所定数Ｎに達しない場合は、注目画素が白黒画素と誤判断されてしまうので、ステップＳ６１に進み、パラメータＣＰ｛Ａ１，Ａ２，Ａ３｝の各値を所定量小さくして、白黒と判断されやすいようにし、ステップＳ３へ戻り、原稿読み込み及び判定を繰り返す。このようにして、所定領域内で色画素と判断される数がＮ以上になるまでパラメータＣＰ｛Ａ１，Ａ２，Ａ３｝の各値を小さくする。
【００３６】
また、ステップＳ５１で色画素が所定数Ｎ以上である場合には、色画素として正しく判定されるので、ステップＳ７に進み、その時に使用されたパラメータＣＰを正式に設定して（Ｐ＝ＣＰ）、処理を終了する。
【００３７】
なお、以上の処理だけでは白黒原稿をカラーと判定してしまう可能性もあるので、白黒原稿を読み込ませて正しく判定されるかを確認するようにするとなお良い。
【００３８】
次に、誤ってカラーと判定された無彩色を、白黒と判定されるように調整する場合を、図１２を用いて説明する。
【００３９】
まずステップＳ１で、白黒／カラー判定に用いられるパラメータＡ１，Ａ２，Ａ３を予め設定されたデフォルト値に設定する（ＣＰ｛Ａ１，Ａ２，Ａ３｝＝Ｄ）。次にステップＳ２２で、読み込ませる原稿を白黒として判断させることを、操作部１１１などにより指定する。次にステップＳ３で、誤ってカラーと判定された色の原稿を読み込ませる。ここで、原稿が他の様々の色を含む場合や、誤ってカラーと判定された色だけを抽出して読み込ませるために原稿からその部分を切り取ることができない場合などもあるので、調整対象色の原稿上の領域を指定できるエディタを設けるとなお良い。
【００４０】
次にステップＳ４で、上述のように第１の実施形態で説明した方法で、その指定された領域のそれぞれの画素について、白黒／カラーの判断を白黒／カラー判定手段１０８で行う。そして、所定の領域内の色画素数Ｃｃｏｕｎｔを調べ、ステップＳ５２でその数が所定数Ｎ（図１３に示す例では５）より小さいか否かを判断する。所定数Ｎ以上である場合は、注目画素が色画素と誤判断されてしまうので、ステップＳ６２に進み、パラメータＣＰ｛Ａ１，Ａ２，Ａ３｝の各値を所定量大きくして、カラーと判断されやすいようにし、ステップＳ３へ戻り、原稿読み込み及び判定を繰り返す。このようにして、所定領域内で色画素と判断される数がＮより小さくなるまでパラメータＣＰ｛Ａ１，Ａ２，Ａ３｝の各値を大きくする。
【００４１】
また、ステップＳ５２で色画素が所定数Ｎより小さい場合には、白黒画素として正しく判定されるので、ステップＳ７に進み、その時に使用されたパラメータＣＰを正式に設定して（Ｐ＝ＣＰ）、処理を終了する。
【００４２】
なお、以上の処理だけではカラー原稿を白黒と判断してしまう可能性もあるので、カラー原稿を読み込ませて正しく判定されるかを確認するようにするとなお良い。
【００４３】
このようにすることで、今まで判定基準の境界線にあった色が確実に判定されるようになるため、誤判定を減らすことができる。
【００４４】
また、上記では、それぞれの判定を一回で行ったが、何度かスキャンしてデータのばらつきを補正するように構成すれば、誤判定をさらに減らすことができる。
【００４５】
上記第２の実施の形態では、画像処理システムがコピー機であることを想定し、読み込んだ画像を複写動作を行う構成で白黒／カラー判定を行う場合を説明したので、パラメータ調整の度に原稿を読み込んでいるが、原稿を読み込んで得た画像データをメモリー上に保管して、その都度メモリーからロードして処理しても同様の効果が得られることは言うまでもない。
【００４６】
さらに、ネットワーク上にスキャナが接続されている場合では、白黒かカラーかを正しく判定することは、データの転送に関しては大きな問題である。たとえば、白黒ではデータ量を少なくともカラーの１／３にすることができるため、白黒をカラーと誤判定されないようにすることで、データ保管用メモリや通信速度を節約することができる。
【００４７】
なお、上記実施の形態においては、図１５に示す曲線Ｃ１を図３に示すように３本の直線Ｌ１，Ｌ２，Ｌ３により近似したが、近似する直線の数は３本に限るものではなく、任意の数で良いことは言うまでもない。その場合には、調整する切片の数も直線の数に応じて増えることになる。
【００４８】
次に、図１６に、画像処理を通す結果、無彩色領域となる領域を、該判定領域から除外する設定を、該領域指定手段へ設定する実施例を示す。
【００４９】
入出力マスキング、トリミング、枠消し、ブック枠消し１０２・１０５、その他任意の領域を無彩色画像で埋める、又は有彩色から無彩色へ変換するような画像処理１６０１が設定されている場合、白黒カラー判定部１０８において上記画像処理エリアを判定領域から除外するように設定する１０９。
【００５０】
これにより、白黒カラー判定部１０８は、原稿においては有彩色エリアであり、画像処理された結果無彩色となる領域をカラー判定することが無くなる。
【００５１】
（他の実施形態）
なお、本発明は、複数の機器（例えばホストコンピュータ，インタフェイス機器，リーダ，プリンタなど）から構成されるシステムに適用しても、一つの機器からなる装置（例えば、複写機，ファクシミリ装置など）に適用してもよい。
【００５２】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【００５３】
この場合、記憶媒体から読出されたプログラムコード自体が前述した実施形態の機能を実現することになり、そのプログラムコードを記憶した記憶媒体は本発明を構成することになる。
【００５４】
プログラムコードを供給するための記憶媒体としては、例えば、フロッピディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００５５】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００５６】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００５７】
本発明を上記記憶媒体に適用する場合、その記憶媒体には、先に説明した処理に対応するプログラムコードを格納することになる。
【図面の簡単な説明】
【００５８】
【図１】本発明の第１の実施形態にかかる画像処理装置の構成を示すブロック図である。
【図２】白黒／カラー判定部の構成を示すブロック図である。
【図３】判定基準を示すグラフである。
【図４】白黒／カラー判定調整時の操作部の表示内容を示す図である。
【図５】白黒／カラー判定結果表示を指定する際の操作部の表示内容を示す図である。
【図６】判定に用いる原稿を選択する際の操作部の表示内容を示す図である。
【図７】原稿読み込みを指示する際の操作部の表示内容を示す図である。
【図８】判定チェック用のパターン画像例を示す図である。
【図９】判定結果の出力例を示す図である。
【図１０】本発明の第２の実施形態にかかる画像処理装置の構成を示すブロック図である。
【図１１】本発明の第２の実施形態にかかる白黒／カラー判定調整のフローチャートである。
【図１２】本発明の第２の実施形態にかかる白黒／カラー判定調整のフローチャートである。
【図１３】従来の白黒／カラー判定方法の一例を説明をするための図である。
【図１４】従来の白黒／カラー判定部の構成を示すブロック図である。
【図１５】従来の判定基準を示すグラフである。
【図１６】出力有彩色エリアについてＡＣＳ判定をする説明図である。
【符号の説明】
【００５９】
１０１  リーダー
１０２  入力マスキング部
１０３  対数変換部
１０４  黒抽出部
１０５  出力マスキング部
１０６  γ変換部
１０７  プリンタ
１０８  白黒／カラー判定部
１０９  ＣＰＵ
１１０  メモリ
１１１  操作部
１１２  パラメータ自動調整部
２０１  ｍｉｎ・ｍａｘ演算部
２０２  属性判定部
２０３  判定チェック部
【図１】
2005244682.tif 000003
【図２】
2005244682.tif 000004
【図３】
2005244682.tif 000005
【図４】
2005244682.tif 000006
【図５】
2005244682.tif 000007
【図６】
2005244682.tif 000008
【図７】
2005244682.tif 000009
【図８】
2005244682.tif 000010
【図９】
2005244682.tif 000011
【図１０】
2005244682.tif 000012
【図１１】
2005244682.tif 000013
【図１２】
2005244682.tif 000014
【図１３】
2005244682.tif 000015
【図１４】
2005244682.tif 000016
【図１５】
2005244682.tif 000017
【図１６】
2005244682.tif 000018